(57)【要約】【課題】移動に際して移動者にかかる負担軽減を図ること。【解決手段】異なる２方向への移動が可能な場所に設けられ、第１の移動方向、当該第１の移動方向に移動した場合に到達可能な目的地、および、当該目的地までの移動距離を示す情報を含む第１の案内情報２１０と、第２の移動方向、当該第２の移動方向に移動した場合に到達可能な目的地、および、当該目的地までの移動距離を示す情報を含む第２の案内情報２２０と、が記された案内表示２００を構成した。【選択図】図２
2011180516.tif 000002
【特許請求の範囲】
【請求項１】
異なる２方向への移動が可能な場所に設けられる案内表示であって、
第１の移動方向、当該第１の移動方向に移動した場合に到達可能な目的地、および、当該目的地までの移動距離を示す情報を含む第１の案内情報と、
第２の移動方向、当該第２の移動方向に移動した場合に到達可能な目的地、および、当該目的地までの移動距離を示す情報を含む第２の案内情報と、
が記されたことを特徴とする案内表示。
【請求項２】
前記第１の移動方向を示す情報および前記第２の移動方向を示す情報は、矢印を示す図形情報であることを特徴とする請求項１に記載の案内表示。
【請求項３】
前記目的地を示す情報は、前記案内表示が設置される空間から当該空間とは異なる空間へ移動するための移動手段の種類を示す情報であることを特徴とする請求項１または２に記載の案内表示。
【請求項４】
前記移動手段は、階段であり、
前記目的地を示す情報は、前記階段を示す図形情報であることを特徴とする請求項３に記載の案内表示。
【請求項５】
前記移動手段は、エレベーターであり、
前記目的地を示す情報は、前記エレベーターを示す図形情報であることを特徴とする請求項３に記載の案内表示。
【請求項６】
前記移動手段は、エスカレーターであり、
前記目的地を示す情報は、前記エスカレーターを示す図形情報であることを特徴とする請求項３に記載の案内表示。
【請求項７】
前記案内表示の設置位置を含む所定の空間全体の構成および当該所定の空間全体における前記案内表示の設置位置を示す情報が記されたことを特徴とする請求項１〜６のいずれか一つに記載の案内表示。
【請求項８】
前記所定の空間における前記案内表示の設置位置の方位を示す情報が記されたことを特徴とする請求項７に記載の案内表示。
【請求項９】
前記所定の空間は、原子力発電所の構内であることを特徴とする請求項７または８に記載の案内表示。
【発明の詳細な説明】
【技術分野】
【０００１】
この発明は、現在地を把握するために用いる案内表示に関する。
【背景技術】
【０００２】
原子力発電所においては、たとえば、建物内の巡視点検、建物自体に対する工事、建物内への機器設置の進捗状況確認などのため原子力発電所の建物内に入ることがある。原子力発電所の建物においては、放射線を遮蔽するため、内部に多数の壁が設けられている。この壁の塗装色は、統一されていることが多い。また、原子力発電所の建物には窓がない。
【０００３】
このような原子力発電所の建物内においては、周囲を見渡すことによって当該建物内のどこにいるかを把握することは難しい。原子力発電所の建物内へ作業者が立ち入る頻度は少なく、当該建物内の構造を記憶し、原子力発電所の建物内における現在地や移動方向を頭の中で適宜判断することは難しい。
【０００４】
このため、原子力発電所の建物内を広範囲に移動した場合や移動をともなう業務をおこなった場合などに、現在地が分からなくなることが多々発生していた。このような場合、建物内において目的地へ移動したり、建物外へ出たりするまでに時間を要してしまう。
【０００５】
このような背景から、従来、原子力発電所の建物においては、現在地や避難経路を書き込んだ建物平面図を印刷したシートにラミネート加工などを施した案内表示を、原子力発電所の建物内の複数箇所に掲示していた。これにより、案内表示を確認しながら原子力発電所の建物内を移動することができる。
【０００６】
従来、具体的には、たとえば、誘導灯表示部において非常口や避難経路を表示し、非常時には、誘導灯ユニットより誘導音声を超指向性スピーカ用音声処理部に出力し、超指向性スピーカ用音声処理部と超指向性スピーカでパラメトリックスピーカとして動作する音響放射部から特定の方向にのみ誘導音声を放射することにより、壁面からの反射音の影響を最小限に抑え、避難者に対して明瞭な誘導音声を届けることができるようにした技術があった（たとえば、下記特許文献１を参照。）。
【先行技術文献】
【特許文献】
【０００７】
【特許文献１】特開２００５−２０２７７５号公報
【発明の概要】
【発明が解決しようとする課題】
【０００８】
しかしながら、上述したように、建物平面図を印刷したシートにラミネート加工などを施した案内表示を用いる従来の技術は、当該案内表示における建物平面図を参照することによって現在地と目的地との位置関係を把握することができるが、現在自分が向いている方向を瞬時に把握することが難しく、どちらに向かって移動すればよいかという移動方向を迅速に判断することが難しいという問題があった。
【０００９】
また、上述した従来の技術は、建物平面図であるため、移動方向先における階段の有無や当該階段までの距離、移動方向先におけるエレベータの有無および当該エレベータまでの距離が分からないという問題があった。このようなことから、上述した従来の技術では、建物内において目的地へ移動したり、建物外へ出たりする際に、どちらに向かって移動すればよいかという移動方向を迅速に判断することが難しいという問題があった。
【００１０】
また、建物平面図を印刷したシートにラミネート加工などを施した案内表示を用いる従来の技術では、建物内の照明が停電してしまった場合には、案内表示が見えないあるいは非常に見えづらい状態となってしまう。このような場合、照明の少ない状況下で案内表示を探さなくてはならず、煩わしいという問題があった。同様に、上述した特許文献１に記載された技術では、建物内において停電が発生した場合に有効に機能しないという問題があった。
【００１１】
特に、原子力発電所の建物外へ避難する必要が生じた場合、避難に際しては迅速性が要求される状況であるにもかかわらず、上述した従来の技術では、案内表示を探すために時間を浪費してしまうため、避難に支障をきたしかねないという問題があった。
【００１２】
この発明は、上述した従来技術による問題点を解消するため、移動に際して移動者にかかる負担軽減を図ることができる案内表示を提供することを目的とする。
【課題を解決するための手段】
【００１３】
上述した課題を解決し、目的を達成するため、この発明にかかる案内表示は、異なる２方向への移動が可能な場所に設けられる案内表示であって、第１の移動方向、当該第１の移動方向に移動した場合に到達可能な目的地、および、当該目的地までの移動距離を示す情報を含む第１の案内情報と、第２の移動方向、当該第２の移動方向に移動した場合に到達可能な目的地、および、当該目的地までの移動距離を示す情報を含む第２の案内情報と、が記されたことを特徴とする。
【００１４】
また、この発明にかかる案内表示は、上記の発明において、前記第１の移動方向を示す情報および前記第２の移動方向を示す情報が、矢印を示す図形情報であることを特徴とする。
【００１５】
また、この発明にかかる案内表示は、上記の発明において、前記目的地を示す情報が、前記案内表示が設置される空間から当該空間とは異なる空間へ移動するための移動手段の種類を示す情報であることを特徴とする。
【００１６】
また、この発明にかかる案内表示は、上記の発明において、前記移動手段が、階段であり、前記目的地を示す情報が、前記階段を示す図形情報であることを特徴とする。
【００１７】
また、この発明にかかる案内表示は、上記の発明において、前記移動手段が、エレベーターであり、前記目的地を示す情報が、前記エレベーターを示す図形情報であることを特徴とする。
【００１８】
また、この発明にかかる案内表示は、上記の発明において、前記移動手段が、エスカレーターであり、前記目的地を示す情報が、前記エスカレーターを示す図形情報であることを特徴とする。
【００１９】
また、この発明にかかる案内表示は、上記の発明において、前記案内表示の設置位置を含む所定の空間全体の構成および当該所定の空間全体における前記案内表示の設置位置を示す情報が記されたことを特徴とする。
【００２０】
また、この発明にかかる案内表示は、上記の発明において、前記所定の空間における前記案内表示の設置位置の方位を示す情報が記されたことを特徴とする。
【００２１】
また、この発明にかかる案内表示は、上記の発明において、前記所定の空間が、原子力発電所の構内であることを特徴とする。
【００２２】
この発明によれば、第１の案内情報と第２の案内情報とを比較することによって、どちらに向かって移動すればよいか移動方向を容易かつ迅速に判断することができる。
【発明の効果】
【００２３】
この発明にかかる案内表示によれば、どちらに向かって移動すればよいか移動方向を容易かつ迅速に判断することができるので、移動に際して移動者にかかる負担軽減を図ることができるという効果を奏する。
【００２４】
また、この発明にかかる案内表示によれば、どちらに向かって移動すればよいか移動方向を容易かつ迅速に判断することができるので、案内表示の設置位置から避難する状況において迅速に避難を開始するとともに適切な目的地に向かって確実に避難することができるので、避難に際しての安全性の向上を図ることができるという効果を奏する。
【図面の簡単な説明】
【００２５】
【図１】この発明にかかる実施の形態の案内表示を設置する施設を示す説明図である。
【図２】この発明にかかる実施の形態の案内表示の構成を示す説明図である。
【図３】案内表示の設置例を示す説明図である。
【図４】構内図を含む案内表示の設置例を示す説明図（その１）である。
【図５】構内図を含む案内表示の設置例を示す説明図（その２）である。
【図６】構内図を含む案内表示の設置例を示す説明図（その３）である。
【図７】構内図を含む案内表示の設置例を示す説明図（その４）である。
【図８】構内図を含む案内表示の設置例を示す説明図（その５）である。
【発明を実施するための形態】
【００２６】
以下に添付図面を参照して、この発明にかかる案内表示の好適な実施の形態を詳細に説明する。
【００２７】
まず、この発明にかかる実施の形態の案内表示の構成について説明する。図１は、この発明にかかる実施の形態の案内表示を設置する施設を示す説明図である。図１においては、この発明にかかる実施の形態の案内表示を設置する施設として、原子力発電所の建物内（原子力発電所構内）における１フロアの平面図を示している。
【００２８】
図１において、原子力発電所の建物内（原子力発電所構内）における中央部には、サブレッションチェンバ（圧力抑制室）が設けられている。サブレッションチェンバ１０１の内側には、ドライウェル１０２が設けられている。ドライウェル１０２は、原子炉格納容器の一部を構成する機密性の高い鋼鉄製の容器であって、原子炉圧力容器や原子炉再循環系等の主要機器を収納している。
【００２９】
ドライウェル１０２の内側には、原子炉が設けられている。原子炉は、たとえば、核拡散防止の観点において優れた性能を備えた軽水炉を用いることができる。原子炉（軽水炉）は、圧力容器本体、制御棒などを備えている。また、原子炉は、非常時および緊急時に用いられる緊急炉心冷却装置を備えている。
【００３０】
圧力容器本体は、略円筒形状をなす胴体部、胴体部の上下に設けられる半球部（上鏡・下鏡）、ノズルなどを備えている。圧力容器本体の内部には、燃料（燃料棒）、減速材、冷却材などが設けられている。燃料（燃料棒）、減速材、冷却材、制御棒は、原子炉内で核反応を起こさせ制御するために用いられる。減速材は、核分裂の過程でウラン、プルトニウムから飛び出した中性子の速度を弱めるために用いられ、たとえば水（軽水）が用いられる。冷却材は、核分裂で得た熱エネルギーを原子炉の外に取り出すために用いられ、たとえば水（軽水）を用いることができる。
【００３１】
また、原子炉は、たとえば、制御棒駆動機構用のスタブチューブ、圧力容器底部ドレン配管や圧力や水位の計装配管を含む配管などを備えている。圧力容器本体に設けられたノズルは、たとえば、給水ノズル、再循環出入口ノズル、主蒸気ノズルなどがあり、それぞれ圧力容器本体配管とを接続する。
【００３２】
原子炉には、沸騰水型（ＢＷＲ）や加圧水型（ＰＷＲ）などがある。沸騰水型（ＢＷＲ）では原子炉の中で直接蒸気を発生させる。一方、加圧水型（ＰＷＲ）は炉の中を高圧にして水が高温でも沸騰しないようにし、蒸気発生器を使って炉の中を流れる水とは別の水を蒸気にする。
【００３３】
沸騰水型（ＢＷＲ）の原子炉は、原子炉圧力容器に設けられている燃料を熱源とし、燃料の周囲の水を熱することによって蒸気を発生させ、当該蒸気をタービンに送ることによって発電機を動作させる。加圧水型（ＰＷＲ）の原子炉は、原子炉圧力容器においてあたためた冷却材を沸騰水型（ＢＷＲ）よりも高い圧力で一次系統の配管を循環させ、この高温・高圧の水から蒸気発生器で熱だけを二次系統の配管を流れる水に伝えて発生させた蒸気をタービンに送ることによって発電機を動作させる。原子炉圧力容器の内径の大きさは、具体的には、たとえば、１１０万ｋＷ（キロワット）級の沸騰水型（ＢＷＲ）原子力発電所の場合で、高さおよそ２２ｍ、幅およそ６ｍ（いずれも内径）とされる。
【００３４】
サブレッションチェンバ１０１の周囲には、コンクリート製の壁１０３が設けられている。壁１０３は、サブレッションチェンバ１０１から原子力発電所の建物の外に向かって複数枚設けられている。壁１０３には、案内表示（図２を参照）が設けられている。案内表示は、原子力発電所の建物内の壁１０３における任意の位置に設けられている。
【００３５】
案内表示は、異なる２方向（第１の移動方向および第２の移動方向）への移動が可能な場所に設けられる。具体的には、案内表示は、たとえば、当該案内表示に対して移動者（原子力発電所の建物内で作業する作業者）が正対した場合に、当該移動者の右手方向および左手方向への移動が可能となる位置に設けることができる。
【００３６】
また、具体的には、案内表示は、たとえば、当該案内表示に対して移動者が正対した場合に、当該移動者の前方向および後ろ方向への移動が可能となる位置に設けてもよい。あるいは、具体的には、案内表示は、たとえば、当該案内表示に対して移動者が正対した場合に、当該移動者の右手方向および前方向への移動が可能となる位置に設けてもよい。
【００３７】
案内表示の設置位置は、具体的には、たとえば、原子力発電所の建物に出入りする移動者の視界に入りやすい（と判断される）位置とすることが好ましい。この実施の形態における案内表示の設置位置は、具体的には、たとえばサブレッションチェンバ１０１の外壁１０１ａとすることができる。また、案内表示の設置位置は、具体的には、たとえばサブレッションチェンバ１０１の外壁１０１ａに対して、当該サブレッションチェンバ１０１の外周側から対向する壁１０３とすることができる。案内表示の設置位置は、移動者の目線と同等あるいは移動者の目線よりも床面からの高さが高い位置とされていることが好ましい（図３を参照）。
【００３８】
この実施の形態において、サブレッションチェンバ１０１の外壁１０１ａに対向する壁１０３（以下、「案内表示設置壁１０３」という）は、床面から所定高さまでの範囲に塗装が施されている。このため、案内表示設置壁１０３においては、床面から所定高さにおいて「塗装が施されている部分」と「塗装が施されていない部分」との境界が形成されている。このように、案内表示設置壁１０３自体に、移動者の視線を集めやすい特徴部分が設けられている場合、この特徴部分の近傍に案内表示を設けてもよい。
【００３９】
（案内表示の構成）
つぎに、この発明にかかる実施の形態の案内表示の構成について説明する。図２は、この発明にかかる実施の形態の案内表示の構成を示す説明図である。図２において、この発明にかかる実施の形態の案内表示２００は、シート形状をなす基材２０１を備えている。基材２０１には、現在位置する空間全体がどこであるかを示す空間情報２０２が記されている。
【００４０】
基材２０１は、たとえば、上質紙、コート紙、アート紙などの紙製とすることができる。また、基材２０１は、たとえば、塩化ビニル樹脂（ｐｏｌｙｖｉｎｙｌ  ｃｈｌｏｒｉｄｅ、ＰＶＣ）、アクリル、ＰＥＴ（Ｐｏｌｙｅｔｈｙｌｅｎｅ  Ｔｅｒｅｐｈｔｈａｌａｔｅ）などの樹脂製であってもよい。基材２０１には、第１の案内情報２１０と第２の案内情報２２０とが記されている。
【００４１】
第１の案内情報２１０は、第１の移動方向、当該第１の移動方向に移動した場合に到達可能な目的地（以下「第１の目的地」という）、および、当該第１の目的地までの移動距離（以下「第１の移動距離」という）を示す情報を含んでいる。第１の移動方向を示す情報２１１は、たとえば、矢印を示す図形情報によって実現することができる。具体的には、第１の移動方向を示す情報２１１は、たとえば、先端が第１の移動方向側を向くように配置された矢印を示す図形や記号などによって実現することができる。
【００４２】
第１の目的地を示す情報２１２は、案内表示２００が設置される空間から当該空間とは異なる空間へ移動するための移動手段の種類を示す情報とすることができる。案内表示２００が設置される空間から当該空間とは異なる空間へ移動するための移動手段は、具体的には、たとえば、原子力発電所の建物の外へ出る非常口によって実現することができる。また、案内表示２００が設置される空間から当該空間とは異なる空間へ移動するための移動手段は、具体的には、たとえば、案内表示２００が設置される空間の上層階や下層階に移動する階段１０４やエレベーター１０５などによって実現することができる。
【００４３】
また、第１の目的地を示す情報２１２は、案内表示２００が設置される空間から当該空間とは異なる空間へ移動するための移動手段を示す図形情報としてもよい。具体的には、たとえば、非常口、階段１０４、エレベーター１０５などを示すピクトグラム（Ｐｉｃｔｏｇｒａｍ）によって、第１の目的地を示す情報２１２を実現することができる。また、第１の目的地を示す情報２１２は、具体的には、たとえば、消化器・消火栓・非常灯・非常電話・非常ボタンなどが設置されていることを示すピクトグラムによって実現してもよい。
【００４４】
ピクトグラムは、何らかの情報や注意を示すために表示される視覚記号（サイン）の一つであり、たとえば「絵文字」、「絵単語」、ピクトグラフ（Ｐｉｃｔｏｇｒａｐｈ）などと称される場合もある。ピクトグラムにおいては、あらわしたい概念を示す図形が、地の色と当該地の色に対して高い明度差のある図の色との２色を用いて示されている。
【００４５】
ピクトグラムを用いることにより、あらわしたい概念を単純な図形によって表現することができる。また、ピクトグラムを用いることにより、あらわしたい概念を、文字を用いて文章で表現する代わりに、視覚的な図で表現することができ、言語に制約されずにあらわしたい概念を直感的に伝達することができる。
【００４６】
第１の目的地を示す情報２１２は、たとえば、国際標準化機構（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ、略称：ＩＳＯ）によって国際的に標準化されているピクトグラムを用いることができる。また、第１の目的地を示す情報２１２は、国際標準化機構によって国際的に標準化されているピクトグラムに限るものではなく、たとえば、主に日本国内で使用されているピクトグラムや、特定の施設内において限定的に使用されているピクトグラムを用いてもよい。
【００４７】
第１の移動距離を示す情報２１３は、具体的には、たとえば、案内表示２００の設置位置から当該第１の目的地までの道のりの長さ、すなわち距離を特定可能な情報とすることができる。第１の移動距離を示す情報２１３は、具体的には、たとえば「２５ｍ」、「１００ｍ」などのように第１の移動距離をメートル表示で示す数値によって実現することができる。
【００４８】
第２の案内情報２２０は、第２の移動方向、当該第２の移動方向に移動した場合に到達可能な目的地（以下「第２の目的地」という）、および、当該目的地までの移動距離（以下「第２の移動距離」という）を示す情報を含んでいる。第２の移動方向を示す情報２２１は、たとえば、矢印を示す図形情報によって実現することができる。具体的には、第２の移動方向を示す情報２２１は、たとえば、先端が第２の移動方向側を向くように配置された矢印を示す図形や記号などによって実現することができる。
【００４９】
第２の目的地を示す情報２２２は、案内表示２００が設置される空間から当該空間とは異なる空間へ移動するための移動手段の種類を示す情報とすることができる。案内表示２００が設置される空間から当該空間とは異なる空間へ移動するための移動手段は、具体的には、たとえば、原子力発電所の建物の外へ出る非常口、案内表示２００が設置される空間の上層階や下層階に移動する階段１０４やエレベーター１０５などによって実現することができる。
【００５０】
また、第２の目的地を示す情報２２２は、案内表示２００が設置される空間から当該空間とは異なる空間へ移動するための移動手段を示す図形情報としてもよい。具体的には、たとえば、上記の第１の目的地を示す情報２１２と同様に、非常口、階段１０４、エレベーター１０５などを示すピクトグラムによって、第２の目的地を示す情報２２２を実現することができる。また、第２の目的地を示す情報２２２は、上記の第１の目的地を示す情報２１２と同様に、具体的には、たとえば、消化器・消火栓・非常灯・非常電話・非常ボタンなどが設置されていることを示すピクトグラムによって実現してもよい。
【００５１】
第２の目的地を示す情報２２２は、たとえば、国際標準化機構によって国際的に標準化されているピクトグラムを用いることができる。また、第２の目的地を示す情報２２２は、国際標準化機構によって国際的に標準化されているピクトグラムに限るものではなく、たとえば、主に日本国内で使用されているピクトグラムや、特定の施設内において限定的に使用されているピクトグラムを用いてもよい。
【００５２】
第２の移動距離を示す情報２２３は、具体的には、たとえば、案内表示２００の設置位置から当該第２の目的地までの道のりの長さ、すなわち距離を特定可能な情報とすることができる。第２の移動距離を示す情報２２３は、具体的には、たとえば「２５ｍ」、「１００ｍ」などのように移動距離をメートル表示で示す数値によって実現することができる。
【００５３】
基材２０１には、方位を示す情報２３０が記されている。基材２０１に記された方位は、所定の空間における案内表示２００の設置位置の方位を示す。具体的には、基材２０１に記された方位は、案内表示２００として基材２０１が壁１０３に設けられた状態で、当該案内表示２００に正対した移動者の前方に位置する方位を示す。
【００５４】
方位を示す情報２３０は、たとえば、ある地点における水平面内の方向を、基準となる方向との関係であらわす情報とすることができる。具体的には、方位は、たとえば、方位間隔をそれぞれ９０°とし、「東」、「西」、「南」、「北」の４方向のいずれかによってあらわすことができる。
【００５５】
あるいは、具体的には、方位は、たとえば、方位間隔をそれぞれ４５°とし、「東」、「西」、「南」、「北」、「北東」、「南東」、「北西」、「南西」の８方向のいずれかによってあらわしてもよい。また、具体的には、方位は、たとえば、方位間隔を２２°３０′とした１６方向や、方位間隔を１１°１５′とした３２方向によって方位を示してもよい。
【００５６】
また、方位を示す情報２３０は、たとえば、決められた水平面内での角度、すなわち方位角によってあらわしてもよい。この場合、北を０°＝３６０°の基準とし、東を９０°、南を１８０°、西を２７０°とする。また、この場合、北東が４５°、南東が１３５°、南西が２２５°、北西が３１５°として表現される。
【００５７】
あるいは、方位を示す情報２３０は、たとえば、天文や測量などで正確な方位を求める際に用いる北２８度東  （Ｎ２８Ｅ）・南１５度西  （Ｓ１５Ｗ）などの表記であってもよい。また、方位を示す情報２３０は、たとえば、十二支、八卦、あるいは、十干などの方法によって方位を示してもよい。さらに、方位を示す情報２３０は、たとえば、十二支と八卦と十干とを組み合わせた二十四方向によって方位を示してもよい。
【００５８】
案内表示２００において、第１の案内情報２１０、第２の案内情報２２０および方位を示す情報２３０は、それぞれ異なる色によって記されていることが好ましい。第１の案内情報２１０、第２の案内情報２２０および方位を示す情報２３０を、それぞれ異なる色によって記すことにより、限られた基材２０１内に複数種類の情報を記した場合にも、各情報を容易かつ確実に識別することができる。
【００５９】
案内表示２００において、第１の案内情報２１０および第２の案内情報２２０は、蛍光材料を用いて記されている。また、案内表示２００においては、方位を示す情報２３０が、蛍光材料を用いて記されていてもよい。第１の案内情報２１０、第２の案内情報２２０および方位を示す情報２３０は、蛍光材料の中でも蓄光材料を用いて記されていることが好ましい。
【００６０】
蛍光材料は、電磁波、熱、摩擦などによるエネルギーを受け取って励起され、その受け取ったエネルギーを特定波長の光として放出する発光現象であるルミネセンス（ｌｕｍｉｎｅｓｃｅｎｃｅ）を生じる。蓄光材料は、蛍光材料のうち、特に、照射された外光をためて発光（燐光）する性状を示す蓄光顔料を含んだ材料であって、具体的には、たとえば硫化亜鉛（ＺｎＳ系）やアルミン酸ストロンチウム（ＳｒＡｌ２Ｏ４系）の材料を用いることができる。
【００６１】
案内表示２００において、第１の案内情報２１０、第２の案内情報２２０および方位を示す情報２３０を蛍光材料を用いて記すことにより、電力の供給がなされない状況すなわち原子力発電所の建物において停電が発生した場合にも、移動者に対して、案内表示２００の設置位置および当該案内表示２００に記された内容を確認させることができる。
【００６２】
また、案内表示２００において、第１の案内情報２１０、第２の案内情報２２０および方位を示す情報２３０を蛍光材料を用いて記すことにより、原子力発電所の建物内において停電が発生したり、照明が弱まったりした場合にも、案内表示２００の文字部分が暗闇で発光し、案内表示２００を移動者の目につきやすくすることができる。
【００６３】
また、第１の案内情報２１０、第２の案内情報２２０および方位を示す情報２３０を蛍光材料を用いて記すことにより、移動者がライトを携帯することを忘れてしまったり、ライトの故障等により当該ライトが機能しない状態において、原子力発電所の建物内において停電が発生したり照明が弱まったりした場合にも、案内表示２００の設置位置および当該案内表示２００に記された内容を確認することができる。
【００６４】
案内表示２００は、基材２０１に記された各種の情報を被覆する被覆層（図示を省略する）を備えている。被覆層は、たとえば、ガラス材料や樹脂材料などを用いて形成することができる。これにより、案内表示２００の周囲に存在する湿気や水分などが蓄光材料に触れることによる蓄光性能の低下を抑え、案内表示２００の耐水性能の向上を図ることができる。
【００６５】
これにより、原子力発電所の建物内において停電が発生したり、照明が弱まったりした場合にも、案内表示２００の設置位置および当該案内表示２００に記されている内容を、移動者に伝達することができる。案内表示２００においては、蓄光材料に代えて、あるいは、蓄光材料に加えて、照射された外光を反射する性質を備えた反射材料を用いて、第１の案内情報２１０、第２の案内情報２２０および方位を示す情報２３０が記されていてもよい。
【００６６】
案内表示２００を構成する基材２０１には、案内表示２００の設置位置を含む所定の空間全体の構成および当該所定の空間全体における案内表示２００の設置位置を示す情報が記されていてもよい。具体的には、たとえば原子力発電所の建物内における各階の見取り図（構内図、図１を参照）が、案内表示２００を構成する基材２０１に記されていてもよい。
【００６７】
この場合、構内図は、第１の案内情報２１０、第２の案内情報２２０および方位が記された基材２０１とは別体とされた基材２０１に記されていてもよい。また、この場合、原子力発電所の構内における案内表示２００の設置位置を示す情報は、上記の構内図に記載されるため、第１の案内情報２１０、第２の案内情報２２０および方位が記された基材２０１とは別体とされる。
【００６８】
案内表示２００における各種の情報は、印刷によって記されている。また、案内表示２００における各種の情報は、印刷によって設けられているものに限らず、たとえば、手書きによって記されたものであってもよい。
【００６９】
上記の案内表示２００を原子力発電所の建物内に設けることにより、移動者は、自身が向いている方位、移動方向先の方位、階段１０４やエレベーター１０５の有無、および、当該階段１０４やエレベーター１０５までの現在地からの距離を把握することができるとともに、これらの情報を構内図（建物平面図）と併せて見ることによって、移動者の現在地の状況把握を容易におこなうことができる。
【００７０】
上記の案内表示２００を原子力発電所の建物内に設けることにより、目的地への移動にかかる時間や原子力発電所の建物の外へ通じる出口への移動にかかる時間の短縮を図ることができる。また、上記の案内表示２００を原子力発電所の建物内に設けることにより、原子力発電所の建物内で迷うことに対する移動者の不安が解消され、積極的に建物内に入ることが可能になる。
【００７１】
これによって、たとえば原子力発電所の建物内において工事をおこなっている場合は原子力発電所の建物内全体における工事進捗状況を把握しやすくなる。また、上記の案内表示２００を原子力発電所の建物内に設けることにより、移動者が不安を覚えることなく積極的に建物内に入ることが可能となるので、原子力発電所の建物内についての各移動者の知識向上を図ることができる。
【００７２】
図３は、案内表示２００の設置例を示す説明図である。図３において、案内表示２００は、移動者の目線と同等あるいは移動者の目線よりも床面３０１からの高さが高い位置に設けられている。これによって、原子力発電所の建物内における作業に用いる機材などの物品を通路に設置した状態においても、案内表示２００の視認性を損なうことがない。
【００７３】
図４、図５、図６、図７および図８は、構内図を含む案内表示２００の設置例を示す説明図である。図４、図５、図６、図７および図８において、構内図４００は、案内表示２００の基材２０１とは別体とされている。これにより、移動者は、案内表示２００と構内図４００とを見比べ、構内図４００を参照しながら案内表示２００に記された情報を確認することにより、自身の現在地の状況把握や移動方向の判断を容易におこなうことができる。
【００７４】
構内図４００には、当該構内図４００とともに設置される案内表示２００の設置位置を示す情報４０１、５０１、６０１、７０１、８０１、すなわち移動者の現在位置を示す情報が記されていることが好ましい。案内表示２００の設置位置を示す情報４０１、５０１、６０１、７０１、８０１は、構内図４００において案内表示２００が設置されている位置と同じ位置に設けられた丸印や、当該丸印によって示される設置位置に設けられた案内表示２００の種類を示すイラストなどによって構成されていることが好ましい。
【００７５】
これにより、移動者は、構内図４００に基づいて自身の現在地（現在位置）をより迅速かつ的確に把握することができるとともに、案内表示２００と構内図４００とを見比べ、構内図４００を参照しながら案内表示２００に記された情報を確認することにより、自身の現在地の状況把握や移動方向の判断を容易におこなうことができる。
【００７６】
以上説明したように、この発明にかかる実施の形態の案内表示２００は、異なる２方向への移動が可能な場所に設けられる案内表示２００であって、第１の移動方向、第１の目的地および第１の移動距離を示す情報２１３を含む第１の案内情報２１０と、第２の移動方向、第２の目的地および第２の移動距離を示す情報２２３を含む第２の案内情報２２０と、が記されたことを特徴としている。
【００７７】
この発明にかかる実施の形態の案内表示２００によれば、第１の案内情報２１０と第２の案内情報２２０とを比較することにより、どちらに向かって移動すればよいか移動方向を容易かつ迅速に判断することができる。これによって、移動に際して、移動者に適切な移動方向を判断させるために当該移動者にかかる負担を軽減しつつ、適切な移動方向を迅速に判断できることによる移動効率の向上を図ることができる。
【００７８】
また、この発明にかかる実施の形態の案内表示２００によれば、第１の案内情報２１０と第２の案内情報２２０とを比較することにより、どちらに向かって移動すればよいか移動方向を容易かつ迅速に判断することができるので、たとえば案内表示２００の設置位置から原子力発電所の構外へ避難する状況において迅速に避難を開始するとともに適切な目的地に向かって確実に避難することができる。これによって、避難に際しての移動者の安全性の向上を図ることができる。
【００７９】
また、この発明にかかる実施の形態の案内表示２００は、第１の移動方向および第２の移動方向を示す情報２２１が、矢印を示す図形情報であることを特徴としている。この発明にかかる実施の形態の案内表示２００によれば、万人にわかりやすい図形を用いて移動方向を示すことにより、異なる２方向を同じ基材２０１に並べて記した場合にも、移動者に混乱をきたすことなく、異なる２つの移動方向を迅速かつ的確に案内することができる。
【００８０】
また、この発明にかかる実施の形態の案内表示２００は、第１の目的地および第２の目的地を示す情報２２２が、案内表示２００が設置される空間から当該空間とは異なる空間へ移動するための移動手段の種類を示す情報であることを特徴としている。この発明にかかる実施の形態の案内表示２００によれば、案内表示２００が設置される空間の外への移動を可能とする移動手段の種類（非常口、階段１０４など）を示すことにより、移動者の状態や移動時の周囲の状態などに応じて、適宜適切な移動手段を選択し、選択した移動手段に迅速かつ確実に到達することができる。
【００８１】
具体的には、たとえば、移動手段として階段１０４またはエレベーター１０５を選択することが可能であって、かつ、移動者が重量のある工具や大型の点検設備などを持って移動している場合は、同層階における移動距離が若干長くなっても、階段１０４よりもエレベーター１０５を選択する可能性が高いと考えられる。あるいは、移動者が携行する工具が少なく、かつ、緊急を要する移動をおこなう場合は、同層階における移動距離が短くなるように移動手段を選択すると考えられる。具体的には、このような場合は、エレベーター１０５に乗るために遠回りをすることなく、近くにある階段１０４を選択し、階段１０４で移動することができる。
【００８２】
また、この発明にかかる実施の形態の案内表示２００は、移動手段が階段１０４であり、第１の目的地および第２の目的地を示す情報２１２、２２２が階段１０４を示す図形情報であることを特徴としている。この発明にかかる実施の形態の案内表示２００によれば、万人にわかりやすい図形を用いて階段１０４を示すことにより、移動者に混乱をきたすことなく、異なる２つの移動方向を迅速かつ的確に案内することができる。
【００８３】
また、この発明にかかる実施の形態の案内表示２００は、移動手段がエレベーター１０５であって、目的地を示す情報がエレベーター１０５を示す図形情報であることを特徴としている。この発明にかかる実施の形態の案内表示２００によれば、万人にわかりやすい図形を用いてエレベーター１０５を示すことにより、移動者に混乱をきたすことなく、異なる２つの移動方向を迅速かつ的確に案内することができる。
【００８４】
また、この発明にかかる実施の形態の案内表示２００は、移動手段がエスカレーターであって、第１の目的地および第２の目的地を示す情報２１２、２２２がエスカレーターを示す図形情報であることを特徴としている。この発明にかかる実施の形態の案内表示２００によれば、万人にわかりやすい図形を用いてエスカレーターを示すことにより、移動者に混乱をきたすことなく、異なる２つの移動方向を迅速かつ的確に案内することができる。
【００８５】
また、この発明にかかる実施の形態の案内表示２００は、案内表示２００の設置位置を含む所定の空間全体の構成および当該所定の空間全体における案内表示２００の設置位置を示す情報が記されたことを特徴としている。この発明にかかる実施の形態の案内表示２００によれば、原子力発電所の構内の全体における移動者の現在位置を迅速かつ的確に案内することができる。これによって、第１の移動距離や第２の移動距離のみに左右されることなく、移動経路の形状や複雑さ加減などを含めて適宜適切な移動手段を選択することができる。
【００８６】
また、この発明にかかる実施の形態の案内表示２００は、所定の空間における案内表示２００の設置位置の方位を示す情報２３０が記されたことを特徴としている。この発明にかかる実施の形態の案内表示２００によれば、原子力発電所の構内などのように、窓、すなわち建物外部の様子を確認する手段がない場所にいる移動者に対して、当該移動者が案内表示２００に正対している時点で向いている方位を迅速かつ的確に案内することができる。
【００８７】
また、この発明にかかる実施の形態の案内表示２００は、所定の空間が、原子力発電所の構内であることを特徴としている。この発明にかかる実施の形態の案内表示２００によれば、原子力発電所の構内に、上記の案内表示２００を設けることにより、当該原子力発電所の構内を移動する移動者にどちらに向かって移動すればよいか移動方向を容易かつ迅速に判断させることができる。
【００８８】
特に、原子力発電所の建物内は、壁１０３が多く、通路が広範囲を見渡しにくい。また、原子力発電所の建物内は、目印となるものが少ない。このため、原子力発電所の建物内にいる移動者は建物内における自身の現在地や、自身が向いている方向や方位が分からなくなることがあるが、この発明にかかる実施の形態の案内表示２００を用いることにより、どちらに向かって移動すればよいかという移動方向の判断を、より容易かつより迅速に判断させることができる。
【００８９】
この発明にかかる実施の形態の案内表示２００は、原子力発電所の建物内に設置するものに限らない。この発明にかかる実施の形態の案内表示２００は、たとえば高い棚が複数配置された資料室や書庫など、移動者が周囲全体を見渡すことが難しい場所に設置してもよい。これにより、移動者にどちらに向かって移動すればよいか移動方向を容易かつ迅速に判断させることができる。
【産業上の利用可能性】
【００９０】
以上のように、この発明にかかる案内表示は、現在地を把握するために用いる案内表示に有用であり、特に、原子力発電所の建物内のように外部の状況がリアルタイムで把握しづらい建物内における現在地を把握するために用いる案内表示に適している。
【符号の説明】
【００９１】
１０１  サブレッションチェンバ
１０１ａ  外壁
１０２  ドライウェル
１０３  壁
１０４  階段
１０５  エレベーター
２００  案内表示
２０１  基材
２０２  空間情報
２１０  第１の案内情報
２１１  第１の移動方向を示す情報
２１２  第１の目的地を示す情報
２１３  第１の移動距離を示す情報
２２０  第２の案内情報
２２１  第２の移動方向を示す情報
２２２  第２の目的地を示す情報
２２３  第２の移動距離を示す情報
２３０  方位を示す情報
３０１  床面
４００  構内図
４０１、５０１、６０１、７０１、８０１  設置位置を示す情報
【図１】
2011180516.tif 000003
【図２】
2011180516.tif 000004
【図３】
2011180516.tif 000005
【図４】
2011180516.tif 000006
【図５】
2011180516.tif 000007
【図６】
2011180516.tif 000008
【図７】
2011180516.tif 000009
【図８】
2011180516.tif 000010